(57)【要約】【課題】  アレーアンテナへ伝送される送信信号の伝送特性を周波数特性を考慮して調整することを可能とする。【解決手段】  アンテナ素子２２に供給される送信信号をＲＦ回路経由後に抽出するカプラ２２と、該抽出された信号を周波数領域の信号に変換するＤＦＴ１３と、乗算器４５出力後の信号を時間領域の信号に変換するＩＤＦＴ１１と、ＩＤＦＴ出力後の信号に対してＲＦ回路経由後に抽出された信号に時間的に合わせる遅延を付加する遅延ユニット５３と、遅延付加後の信号を周波数領域の信号に変換するＤＦＴ１２と、ＤＦＴ１２およびＤＦＴ１３からの各々の出力信号を比較して振幅差および位相差を検出するレベル・位相検出器１４と、この検出結果に応じて、アンテナ素子ごとの送信信号の振幅および位相を補正するレベル・位相制御器１５および乗算器１６とを備える。【選択図】    図１
2006287501.tif 000002
【特許請求の範囲】
【請求項１】
複数のアンテナ素子から成るアレーアンテナの前記アンテナ素子ごとに送信信号の振幅および位相を操作するとともに、所定複数のサブキャリアに送信データを展開して周波数分割多重する無線装置におけるアレーアンテナ用ＲＦ回路伝送特性調整装置であって、
前記周波数分割多重後に時間領域に変換されＲＦ回路を経由して前記アンテナ素子に供給される送信信号を、前記ＲＦ回路経由後に抽出する信号抽出手段と、
前記抽出された信号を周波数領域の信号に変換する第１の離散フーリエ変換手段と、
前記アンテナ素子ごとの送信信号の振幅および位相の操作後であって前記周波数分割多重時の周波数領域の送信信号を、時間領域の信号に変換する逆離散フーリエ変換手段と、
前記逆離散フーリエ変換手段出力後の信号に対して、前記抽出された信号に時間的に合わせる遅延を付加する遅延付加手段と、
前記遅延付加手段出力後の信号を周波数領域の信号に変換する第２の離散フーリエ変換手段と、
前記第１および第２の離散フーリエ変換手段からの各々の出力信号を比較して振幅差および位相差を検出する検出手段と、
前記検出手段の検出結果に応じて、前記アンテナ素子ごとの送信信号の振幅および位相の操作後であって前記周波数分割多重時の周波数領域の送信信号に対し、前記アンテナ素子ごとの送信信号の振幅および位相を補正する補正手段と、
を備えたことを特徴とするアレーアンテナ用ＲＦ回路伝送特性調整装置。
【請求項２】
前記ＲＦ回路経由後に抽出された前記アンテナ素子ごとの信号を一系統の信号に切替する第１の信号切替手段と、
前記周波数分割多重時の周波数領域の前記アンテナ素子ごとの送信信号を一系統の信号に切替する第２の信号切替手段とを備え、
前記第１の離散フーリエ変換手段には、前記第１の信号切替手段で切替後の信号が入力され、
前記逆離散フーリエ変換手段には、前記第２の信号切替手段で切替後の信号が入力される、
ことを特徴とする請求項１に記載のアレーアンテナ用ＲＦ回路伝送特性調整装置。
【請求項３】
前記アンテナ素子の信号系統ごとに前記振幅差および位相差の検出を行い、該各アンテナ素子の検出結果ごとにレベル差および位相差を所定範囲内にする補正係数を算出するように制御する制御手段、
を備えたことを特徴とする請求項１又は２に記載のアレーアンテナ用ＲＦ回路伝送特性調整装置。
【請求項４】
一の前記アンテナ素子のみの送信信号を前記第２の信号切替手段で選択し、前記アンテナ素子の信号系統ごとに前記振幅差および位相差の検出を行い、該各アンテナ素子の検出結果に基づき、アンテナ素子の信号系統間のレベル差および位相差を所定範囲内にする補正係数を算出するように制御する制御手段、
を備えたことを特徴とする請求項１又は２に記載のアレーアンテナ用ＲＦ回路伝送特性調整装置。
【請求項５】
前記補正手段は、前記アンテナ素子の信号系統ごとに検出したレベル差および位相差に基づき、アンテナ素子の信号系統間の相対的なレベル差および位相差を求め、アンテナ素子の信号系統間の相対的なレベル差および位相差を所定範囲内に補正する補正係数を算出する、
ことを特徴とする請求項１又は２に記載のアレーアンテナ用ＲＦ回路伝送特性調整装置。
【請求項６】
複数のアンテナ素子から成るアレーアンテナの前記アンテナ素子ごとに送信信号の振幅および位相を操作するとともに、所定複数のサブキャリアに送信データを展開して周波数分割多重する無線装置におけるアレーアンテナ用ＲＦ回路伝送特性調整方法であって、
前記周波数分割多重後に時間領域に変換されＲＦ回路を経由して前記アンテナ素子に供給される送信信号を、前記ＲＦ回路経由後に抽出する信号抽出過程と、
前記抽出された信号を周波数領域の信号に変換する第１の離散フーリエ変換過程と、
前記アンテナ素子ごとの送信信号の振幅および位相の操作後であって前記周波数分割多重時の周波数領域の送信信号を、時間領域の信号に変換する逆離散フーリエ変換過程と、
前記逆離散フーリエ変換後の信号に対して、前記抽出された信号に時間的に合わせる遅延を付加する遅延付加過程と、
前記遅延付加後の信号を周波数領域の信号に変換する第２の離散フーリエ変換過程と、
前記第１および第２の離散フーリエ変換過程による各々の変換後の信号を比較して振幅差および位相差を検出する検出過程と、
前記検出結果に応じて、前記アンテナ素子ごとの送信信号の振幅および位相の操作後であって前記周波数分割多重時の周波数領域の送信信号に対し、前記アンテナ素子ごとの送信信号の振幅および位相を補正する補正過程と、
を含むことを特徴とするアレーアンテナ用ＲＦ回路伝送特性調整方法。
【請求項７】
前記ＲＦ回路経由後に抽出された前記アンテナ素子ごとの信号を一系統の信号に切替する第１の信号切替過程と、
前記周波数分割多重時の周波数領域の前記アンテナ素子ごとの送信信号を一系統の信号に切替する第２の信号切替過程とをさらに有し、
前記第１の離散フーリエ変換過程には、前記第１の信号切替過程で切替後の信号が入力され、
前記逆離散フーリエ変換過程には、前記第２の信号切替過程で切替後の信号が入力される、
ことを特徴とする請求項６に記載のアレーアンテナ用ＲＦ回路伝送特性調整方法。
【請求項８】
前記アンテナ素子の信号系統ごとに前記振幅差および位相差の検出を行い、該各アンテナ素子の検出結果ごとにレベル差および位相差を所定範囲内にする補正係数を算出するように制御する制御過程、
をさらに有することを特徴とする請求項６又は７に記載のアレーアンテナ用ＲＦ回路伝送特性調整方法。
【請求項９】
一の前記アンテナ素子のみの送信信号を前記第２の信号切替過程で選択し、前記アンテナ素子の信号系統ごとに前記振幅差および位相差の検出を行い、該各アンテナ素子の検出結果に基づき、アンテナ素子の信号系統間のレベル差および位相差を所定範囲内にする補正係数を算出するように制御する制御過程、
をさらに有することを特徴とする請求項６又は７に記載のアレーアンテナ用ＲＦ回路伝送特性調整方法。
【請求項１０】
前記補正過程において、前記アンテナ素子の信号系統ごとに検出したレベル差および位相差に基づき、アンテナ素子の信号系統間の相対的なレベル差および位相差を求め、アンテナ素子の信号系統間の相対的なレベル差および位相差を所定範囲内に補正する補正係数を算出する、
ことを特徴とする請求項６又は７に記載のアレーアンテナ用ＲＦ回路伝送特性調整方法。
【発明の詳細な説明】
【技術分野】
【０００１】
本発明は、アレーアンテナ用ＲＦ回路伝送特性調整装置およびその方法に関する。
【背景技術】
【０００２】
従来、複数のアンテナ素子から構成されるアレーアンテナを用い、各アンテナ素子に入力される、アンテナ素子数分だけ配分された送信信号の振幅、位相を操作して放射パターンを制御するビーム制御技術がある。ビーム制御技術は、従前の無線通信で用いられている時間および周波数領域の技術とは独立した空間を用いた技術であり、空間分割多元接続（ＳＤＭＡ；Space Division Multiple Access）を可能とし、無線通信システムの通信容量を増大させることができるものとして期待されている。
【０００３】
上記したビーム制御技術を無線通信システムの基地局装置に適用する場合、基地局装置は、アレーアンテナとビーム制御装置を有する。ビーム制御装置は、アンテナ素子数分の送信信号のレベル（振幅）および位相を操作する。一般的に、アレーアンテナは屋外に、ビーム制御装置は屋内にそれぞれ設置される。そのアレーアンテナとビーム制御装置間は、アンテナ素子毎の給電線およびアンプ（以下、纏めて「ＲＦ回路」と称する）で接続されている。アンテナ素子毎の各ＲＦ回路の伝送特性は、製造誤差および時間的な温度変化等の影響の差があるために常に同一ではない。このため、伝送される各送信信号の振幅および位相は、ＲＦ回路によりそれぞれ独立に変動し、ビーム制御技術に影響を与える。
【０００４】
上記した問題を解決するため、各ＲＦ回路間の伝送特性差を等化するアレーアンテナ用ＲＦ回路伝送特性調整装置が必要となる。このため、従来は、キャリブレーション専用信号源を用いてキャリブレーション信号を送信信号に多重させ、各ＲＦ回路を伝送させた後、それぞれについてキャリブレーション用信号を検出（復調）し、相対振幅、相対位相差を、ある所定の設定キャリブレーション値になるように制御している（例えば非特許文献１参照）。
【非特許文献１】「Ｗ−ＣＤＭＡ下りリンク適応アンテナアレイ送信ダイバーシチにおけるＲＦ送受信回路のキャリブレーションの検討」  原田  篤、田中晋也、安達文幸著、信学技報、Ｐ１０３−１１０、１９９９年８月発行
【発明の開示】
【発明が解決しようとする課題】
【０００５】
しかしながら、上記した従来技術によれば、キャリブレーション専用信号源および復調器が必要となるだけではなく、キャリブレーション専用信号が送信信号と多重されて送信されるため、送信信号に対する干渉源となってしまう。
【０００６】
ところで、広帯域を用いて高速伝送を実現する周波数領域の一変復調技術として、周波数領域で複数のサブキャリア（マルチキャリア）に送信データを展開して伝送する直交周波数分割多重（ＯＦＤＭ；Orthogonal Frequency Division Multiplexing）方式が知られており、ビーム制御技術とＯＦＤＭ方式を組合せて大容量且つ高速な無線通信システムを実現することが検討されている。ビーム制御技術と広帯域のＯＦＤＭ方式を用いた無線通信システムでは、各ＲＦ回路間の周波数特性の差が無視できなくなるので、それも考慮したアレーアンテナ用ＲＦ回路伝送特性調整装置が要求される。
【０００７】
本発明は、このような事情を考慮してなされたもので、その目的は、キャリブレーション専用信号源および復調器を用いることなく、アレーアンテナへ伝送される送信信号の伝送特性の周波数特性を考慮して調整することのできる、アレーアンテナ用ＲＦ回路伝送特性調整装置およびその方法を提供することにある。
【課題を解決するための手段】
【０００８】
上記の課題を解決するために、本発明に係るアレーアンテナ用ＲＦ回路伝送特性調整装置は、複数のアンテナ素子から成るアレーアンテナの前記アンテナ素子ごとに送信信号の振幅および位相を操作するとともに、所定複数のサブキャリアに送信データを展開して周波数分割多重する無線装置におけるアレーアンテナ用ＲＦ回路伝送特性調整装置であって、前記周波数分割多重後に時間領域に変換されＲＦ回路を経由して前記アンテナ素子に供給される送信信号を、前記ＲＦ回路経由後に抽出する信号抽出手段と、前記抽出された信号を周波数領域の信号に変換する第１の離散フーリエ変換手段と、前記アンテナ素子ごとの送信信号の振幅および位相の操作後であって前記周波数分割多重時の周波数領域の送信信号を、時間領域の信号に変換する逆離散フーリエ変換手段と、前記逆離散フーリエ変換手段出力後の信号に対して、前記抽出された信号に時間的に合わせる遅延を付加する遅延付加手段と、前記遅延付加手段出力後の信号を周波数領域の信号に変換する第２の離散フーリエ変換手段と、前記第１および第２の離散フーリエ変換手段からの各々の出力信号を比較して振幅差および位相差を検出する検出手段と、前記検出手段の検出結果に応じて、前記アンテナ素子ごとの送信信号の振幅および位相の操作後であって前記周波数分割多重時の周波数領域の送信信号に対し、前記アンテナ素子ごとの送信信号の振幅および位相を補正する補正手段と、を備えたことを特徴とする。
【０００９】
本発明に係るアレーアンテナ用ＲＦ回路伝送特性調整装置においては、前記ＲＦ回路経由後に抽出された前記アンテナ素子ごとの信号を一系統の信号に切替する第１の信号切替手段と、前記周波数分割多重時の周波数領域の前記アンテナ素子ごとの送信信号を一系統の信号に切替する第２の信号切替手段とを備え、前記第１の離散フーリエ変換手段には、前記第１の信号切替手段で切替後の信号が入力され、前記逆離散フーリエ変換手段には、前記第２の信号切替手段で切替後の信号が入力される、ことを特徴とする。
【００１０】
本発明に係るアレーアンテナ用ＲＦ回路伝送特性調整装置においては、前記アンテナ素子の信号系統ごとに前記振幅差および位相差の検出を行い、該各アンテナ素子の検出結果ごとにレベル差および位相差を所定範囲内にする補正係数を算出するように制御する制御手段、を備えたことを特徴とする。
【００１１】
本発明に係るアレーアンテナ用ＲＦ回路伝送特性調整装置においては、一の前記アンテナ素子のみの送信信号を前記第２の信号切替手段で選択し、前記アンテナ素子の信号系統ごとに前記振幅差および位相差の検出を行い、該各アンテナ素子の検出結果に基づき、アンテナ素子の信号系統間のレベル差および位相差を所定範囲内にする補正係数を算出するように制御する制御手段、を備えたことを特徴とする。
【００１２】
本発明に係るアレーアンテナ用ＲＦ回路伝送特性調整装置においては、前記補正手段は、前記アンテナ素子の信号系統ごとに検出したレベル差および位相差に基づき、アンテナ素子の信号系統間の相対的なレベル差および位相差を求め、アンテナ素子の信号系統間の相対的なレベル差および位相差を所定範囲内に補正する補正係数を算出する、ことを特徴とする。
【００１３】
本発明に係るアレーアンテナ用ＲＦ回路伝送特性調整方法は、複数のアンテナ素子から成るアレーアンテナの前記アンテナ素子ごとに送信信号の振幅および位相を操作するとともに、所定複数のサブキャリアに送信データを展開して周波数分割多重する無線装置におけるアレーアンテナ用ＲＦ回路伝送特性調整方法であって、前記周波数分割多重後に時間領域に変換されＲＦ回路を経由して前記アンテナ素子に供給される送信信号を、前記ＲＦ回路経由後に抽出する信号抽出過程と、前記抽出された信号を周波数領域の信号に変換する第１の離散フーリエ変換過程と、前記アンテナ素子ごとの送信信号の振幅および位相の操作後であって前記周波数分割多重時の周波数領域の送信信号を、時間領域の信号に変換する逆離散フーリエ変換過程と、前記逆離散フーリエ変換後の信号に対して、前記抽出された信号に時間的に合わせる遅延を付加する遅延付加過程と、前記遅延付加後の信号を周波数領域の信号に変換する第２の離散フーリエ変換過程と、前記第１および第２の離散フーリエ変換過程による各々の変換後の信号を比較して振幅差および位相差を検出する検出過程と、前記検出結果に応じて、前記アンテナ素子ごとの送信信号の振幅および位相の操作後であって前記周波数分割多重時の周波数領域の送信信号に対し、前記アンテナ素子ごとの送信信号の振幅および位相を補正する補正過程と、を含むことを特徴とする。
【００１４】
本発明に係るアレーアンテナ用ＲＦ回路伝送特性調整方法においては、前記ＲＦ回路経由後に抽出された前記アンテナ素子ごとの信号を一系統の信号に切替する第１の信号切替過程と、前記周波数分割多重時の周波数領域の前記アンテナ素子ごとの送信信号を一系統の信号に切替する第２の信号切替過程とをさらに有し、前記第１の離散フーリエ変換過程には、前記第１の信号切替過程で切替後の信号が入力され、前記逆離散フーリエ変換過程には、前記第２の信号切替過程で切替後の信号が入力される、ことを特徴とする。
【００１５】
本発明に係るアレーアンテナ用ＲＦ回路伝送特性調整方法においては、前記アンテナ素子の信号系統ごとに前記振幅差および位相差の検出を行い、該各アンテナ素子の検出結果ごとにレベル差および位相差を所定範囲内にする補正係数を算出するように制御する制御過程、をさらに有することを特徴とする。
【００１６】
本発明に係るアレーアンテナ用ＲＦ回路伝送特性調整方法においては、一の前記アンテナ素子のみの送信信号を前記第２の信号切替過程で選択し、前記アンテナ素子の信号系統ごとに前記振幅差および位相差の検出を行い、該各アンテナ素子の検出結果に基づき、アンテナ素子の信号系統間のレベル差および位相差を所定範囲内にする補正係数を算出するように制御する制御過程、をさらに有することを特徴とする。
【００１７】
本発明に係るアレーアンテナ用ＲＦ回路伝送特性調整方法においては、前記補正過程において、前記アンテナ素子の信号系統ごとに検出したレベル差および位相差に基づき、アンテナ素子の信号系統間の相対的なレベル差および位相差を求め、アンテナ素子の信号系統間の相対的なレベル差および位相差を所定範囲内に補正する補正係数を算出する、ことを特徴とする。
【発明の効果】
【００１８】
本発明によれば、キャリブレーション専用信号源および復調器を用いることなく、アレーアンテナへ伝送される送信信号の伝送特性を調整できるとともに、周波数特性を考慮した調整を行うことが可能となる。
【発明を実施するための最良の形態】
【００１９】
以下、図面を参照し、本発明の一実施形態について説明する。
図１は、本発明の一実施形態に係るアレーアンテナ用ＲＦ回路伝送特性調整装置１を備えた無線装置１００の構成を示すブロック図である。図１においてアレーアンテナ用ＲＦ回路伝送特性調整装置１に係る部分は破線で囲まれている。なお、図１には無線装置１００の送信機能に係るブロックのみを示している。無線装置１００は、ＯＦＤＭ方式およびＳＤＭＡ方式を用いた無線通信システムの例えば基地局装置として利用することができる。
【００２０】
図２には、ＯＦＤＭ方式を用いた無線通信システムの概略構成が示されている。図２において、送信局１００ａは、送信するシリアルデータをＯＦＤＭ方式のサブキャリア数分（Ｌ個）のデータからなるパラレルデータに変換し、そのパラレルデータを逆離散フーリエ変換器（ＩＤＦＴ）により周波数領域から時間領域の信号に変換して無線送信する。受信局１００ｂは、無線受信した信号を離散フーリエ変換器（ＤＦＴ）により時間領域から周波数領域の信号（ＯＦＤＭ方式のサブキャリア数分（Ｌ個）のデータからなるパラレルデータ）に変換し、そのパラレルデータをシリアルデータに変換して受信データを得る。
【００２１】
ＯＦＤＭ方式およびＳＤＭＡ方式を用いた無線通信システムでは、ＯＦＤＭ方式により、サブキャリア数分（Ｌ個）の周波数多重数を実現できる。さらにビーム制御技術を用いたＳＤＭＡ方式により、アレーアンテナのアンテナ素子数分（Ｎ個）の空間多重数を実現できる。
【００２２】
図１において、無線装置１００は、アレーアンテナユニット２０、副ユニット３０、主ユニット４０および遅延ユニット５０を有する。アレーアンテナユニット２０と副ユニット３０は屋外に設置される。副ユニット３０はアレーアンテナユニット２０のできる限り近傍に配置する。主ユニット４０は屋内に設置される。遅延ユニット５０は、屋内或いは屋外に設置される。
【００２３】
アレーアンテナユニット２０は、Ｎ個のアンテナ素子２１から構成されるアレーアンテナ、各アンテナ素子２１の入力直前の信号を抽出する方向性結合器（ＤＣ；以下、カプラという）２２、およびカプラ２１出力後の信号を合成出力する合成器（ＣＭＢ）２３を有する。
【００２４】
副ユニット３０は、Ｎ個のアンテナ素子２１の各々に対応して設けられ各アンテナ素子２１の入力信号を抽出するカプラ３１、各カプラ３１出力後の信号からモニタするアンテナ素子２１の信号を選択するスイッチ（ＳＷ２）と、ＳＷ２又は合成器２３のいずれかの出力信号を選択するスイッチ（ＳＷ３）を有する。
【００２５】
主ユニット４０は、ＯＦＤＭ処理部分とビーム制御部分とアレーアンテナ用ＲＦ回路伝送特性調整装置部分とを有する。
【００２６】
ＯＦＤＭ処理部分は、送信するシリアルデータをＯＦＤＭ方式のサブキャリア数分（Ｌ個）のデータからなるパラレルデータに変換するシリアル−パラレル変換器４１と、Ｎ個のアンテナ素子２１の各々に対応して設けられるＩＤＦＴ４２である。Ｎ個のＩＤＦＴ４２出力後の信号は、Ｎ個のアンテナ素子２１の各々に対応するＮ系統の送信信号である。各系統の送信信号は、各々対応するＲＦ回路を通って副ユニット３０に伝送され、各々対応するカプラ３１に入力される。本実施形態に係るＲＦ回路は、フィーダケーブル５１とアンプ５２から構成される。
【００２７】
ビーム制御部分は、パラレルデータ中の一データをアンテナ素子２１の数分（Ｎ個）に分配する分配器４３と、ビーム制御用の重み係数をアンテナ素子２１毎に算出するビーム制御器４４と、Ｎ個のアンテナ素子２１の各々に対応して設けられ分配器４３の出力信号にビーム制御器４４からの重み係数を乗じる乗算器４５である。分配器４３とビーム制御器４４とＮ個の乗算器４５は、ＯＦＤＭ方式のサブキャリアの各々に対応してＬ個の組が設けられる。
【００２８】
アレーアンテナ用ＲＦ回路伝送特性調整装置部分は、スイッチ（ＳＷ１）、ＩＤＦＴ１１、ＤＦＴ１２、ＤＦＴ１３、レベル（振幅）・位相検出器１４、レベル（振幅）・位相制御器１５、乗算器１６および制御部１７である。
【００２９】
ＳＷ１は、Ｎ個のアンテナ素子２１の各々に対応して設けられた乗算器４５出力後の信号から、モニタするアンテナ素子２１の信号を選択する。ＩＤＦＴ１１は、ＳＷ１出力後の信号を周波数領域から時間領域に変換する。ＤＦＴ１２は、ＩＤＦＴ１１出力後の信号が遅延ユニット５３を通った後の信号を時間領域から周波数領域に変換する。
【００３０】
ＤＦＴ１３は、副ユニット３０からフィーダケーブル５４を通って伝送されるＳＷ３の出力信号を時間領域から周波数領域に変換する。レベル・位相検出器１４は、ＤＦＴ１２出力後の信号（参照信号ＲＥＦ）とＤＦＴ１３出力後の信号（モニタ信号ＭＯＮ）を比較してレベル差および位相差を検出する。レベル・位相制御器１５は、レベル・位相検出器１４の検出結果の差を補正する補正係数をアンテナ素子２１毎に算出する。乗算器１６は、Ｎ個のアンテナ素子２１の各々に対応して設けられ、乗算器４５出力後の信号にレベル・位相制御器１５からの補正係数を乗じる。
【００３１】
遅延ユニット５３は、所定時間だけ、入力信号（ＩＤＦＴ１１出力後の信号）を遅延させてＤＦＴ１２に出力する。該所定の遅延時間は、ＩＤＦＴ４２出力後の信号が主ユニット４０からＲＦ回路（フィーダケーブル５１とアンプ５２）、カプラ３１、カプラ２２、合成器２３、ＳＷ３およびフィーダケーブル５４を経由して主ユニット４０に戻ってくるまでの伝送時間に相当する時間、或いは、ＩＤＦＴ４２出力後の信号が主ユニット４０からＲＦ回路（フィーダケーブル５１とアンプ５２）、カプラ３１、ＳＷ２、ＳＷ３およびフィーダケーブル５４を経由して主ユニット４０に戻ってくるまでの伝送時間に相当する時間である。
【００３２】
上記したＳＷ１、レベル・位相検出器１４、レベル・位相制御器１５およびＮ個のアンテナ素子ごとの乗算器１６からなる調整部は、ＯＦＤＭ方式のＬ個のサブキャリアの各々に対応してＬ個の組が設けられる。これにより、サブキャリアごとのレベルおよび位相の調整を行うことができる。
【００３３】
制御部１７は、アレーアンテナ用ＲＦ回路伝送特性調整装置全体を制御する。主ユニット４０のアレーアンテナ用ＲＦ回路伝送特性調整装置部分と副ユニット３０は制御ケーブル５５を介して接続されており、制御ケーブル５５を介して制御部１７からの制御信号が副ユニット３０に伝達される。
【００３４】
次に、上記図１の無線装置１００におけるアレーアンテナ用ＲＦ回路伝送特性調整に係る動作を説明する。
【００３５】
本実施形態に係るアレーアンテナ用ＲＦ回路伝送特性調整方法として、オフラインモードとオンラインモード、そして、オフ−オンラインモードの３つが用意されている。このうち、オフラインモードは立ち上げ時の初期調整を行うモードであり、オンラインモードはシステムを運用しながら調整を行うモードである。図３にオフラインモード、図４にオンラインモードでの調整のための信号伝播経路が示されている。図３、図４とも、図１に示した基本構成に信号の流れを破線の矢印線で明記したものであり、構成や接続関係に変化はない。なお、図３および図４では、アンテナ素子２１＿＃１の信号系統についての信号の流れが破線の矢印線で示されている。
以下、図３、図４を用い、オフラインモードとオンラインモードの動作について、アンテナ素子２１＿＃１の信号系統の調整を例に挙げて説明するが、他のアンテナ素子２１＿＃２〜＃Ｎの信号系統の調整についても同様である。
【００３６】
オフラインモードでは、図３に示されるように、まずビーム制御器４４で設定する重み係数をアンテナ素子２１＿＃１だけを１、その他のアンテナ素子を全て０としてアンテナ素子２１＿＃１からのみ送信信号が送信されるように設定する。さらに、副ユニット３０のＳＷ３を制御部１７による制御の下でアレーアンテナユニット２０の合成器２３からの出力信号を選択するように切替える。これにより、図３のルートＲ１の信号経路が確立される。カプラ２２により抽出されたアンテナ素子２１＿＃１に入力直前の信号は、ルートＲ１上の合成器２３、ＳＷ３およびフィーダケーブル５４を経由して主ユニット４０まで伝送されてＤＦＴ１３に入力され、周波数領域の信号に変換された後にモニタ信号ＭＯＮとしてレベル・位相検出器１４に入力される。
【００３７】
また、主ユニット４０のＳＷ１を制御部１７による制御の下でアンテナ素子２１＿＃１の信号系統を選択するように切替える。これにより、図３のルートＲ２の信号経路が確立される。アンテナ素子２１＿＃１に対応して設けられた乗算器４５出力後の信号は、ルートＲ２上のＩＤＦＴ１１および遅延ユニット５３を経由してＤＦＴ１２に入力され、周波数領域の信号に変換された後に参照信号ＲＥＦとしてレベル・位相検出器１４に入力される。つまり、ＩＤＦＴ１１で時間領域の信号に変換されてから遅延ユニット５３で遅延時間が付加された後に、ＤＦＴ１２で周波数領域の信号に戻されて参照信号ＲＥＦとなる。なお、オフラインモードでは、遅延ユニット５３は、ルートＲ１経由の遅延時間を付加する。
【００３８】
レベル・位相検出器１４は、その入力されたモニタ信号ＭＯＮと参照信号ＲＥＦを比較して、レベル差および位相差を検出する。これらのレベル差および位相差は、サブキャリアごとに検出される。次いで、レベル・位相制御器１５は、レベル・位相検出器１４の検出結果に基づき、レベル差および位相差が、ある所定の設定オフラインキャリブレーション値（計測データに基づきあらかじめ設定されている）になるように、補正係数を算出する。この補正係数はサブキャリアごとに算出される。そして、サブキャリアごとの補正係数がアンテナ素子２１＿＃１に対応する各乗算器１６で乗算器４５出力後の信号に乗じられることにより、アンテナ素子２１＿＃１の信号系統の周波数領域においてサブキャリアごとに信号のレベルおよび位相が補正される。
上記オフラインモードのキャリブレーション操作については、ビーム制御器４４で設定する重み係数およびＳＷ１を連動して切替えて、その他のアンテナ素子２１の信号系統についても同様に行う。これにより、全アンテナ素子２１の信号系統についての補正を行う。
なお、その他のオフラインモードのキャリブレーション方法として、ＳＷ１をあるアンテナ素子２１＿＃ｎに固定し（つまり参照信号ＲＥＦは当該アンテナ素子２１＿＃ｎの信号に固定）、その他のアンテナ素子２１について上記と同じ手順によりモニタ信号ＭＯＮを得る方法がある。この方法では、まず、単一のアンテナ素子２１から放射するようにアレーアンテナユニット２０に信号を入力した場合の放射信号に対する合成器２３の出力信号のレベル差および位相差を、全てのアンテナ素子２１にわたって測定する。次いで、それら測定結果を基に、アンテナ素子２１の信号系統間の相対的なレベル差および位相差を、設定オフラインキャリブレーション値に補正する補正係数の算出を行う。ここでは、設定オフラインキャリブレーション値として相対的なレベル差および位相差を用いる。これによりオフラインキャリブレーションを実現する。
なお、上述した２通りのオフラインモードでは、アンテナ素子２１の信号系統ごとに独立に補正係数を設定しているが、アンテナ素子２１の信号系統ごとに検出したレベル差および位相差に基づき、アンテナ素子２１の信号系統間の相対的なレベル差および位相差を求め、アンテナ素子２１の信号系統間の相対的なレベル差および位相差を所定範囲内に補正する補正係数を算出するようにしてもよい。
【００３９】
一方、オンラインモードでは、図４に示されるように、まず副ユニット３０のＳＷ３を制御部１７による制御の下で副ユニット３０のＳＷ２からの出力信号を選択するように切替える。また、ここではＳＷ２を制御部１７による制御の下でアンテナ素子２１＿＃１に対応するカプラ３１からの出力信号を選択するように切替える。これにより、図４のルートＲ３の信号経路が確立される。カプラ３１により抽出されたアンテナ素子２１＿＃１への入力信号は、ルートＲ３上のＳＷ２、ＳＷ３およびフィーダケーブル５４を経由して主ユニット４０まで伝送されてＤＦＴ１３に入力され、周波数領域の信号に変換された後にモニタ信号ＭＯＮとしてレベル・位相検出器１４に入力される。また、上記オフラインモードと同様にルートＲ２によって参照信号ＲＥＦが生成されてレベル・位相検出器１４に入力される。これにより、上記オフラインモードと同様にして、モニタ信号ＭＯＮと参照信号ＲＥＦに基づいてサブキャリアごとの補正係数が算出されて、アンテナ素子２１＿＃１の信号系統の周波数領域におけるサブキャリアごとの信号のレベルおよび位相の補正が行われる。
上記オンラインモードのキャリブレーション操作については、ＳＷ１およびＳＷ２を連動して切替えて、その他のアンテナ素子２１の信号系統についても同様に行う。これにより、全アンテナ素子２１の信号系統についての補正を行う。
なお、上述したオンラインモードでは、アンテナ素子２１の信号系統ごとに独立に補正係数を設定しているが、アンテナ素子２１の信号系統ごとに検出したレベル差および位相差に基づき、アンテナ素子２１の信号系統間の相対的なレベル差および位相差を所定範囲内に補正する補正係数を算出するようにしてもよい。
【００４０】
最後に、オフ−オンラインモードとは、まずオフラインモードでキャリブレーションを行い、レベル・位相検出器１４での検出値と、設定オフラインキャリブレーション値との誤差が、ある所定の許容条件を満たす場合にオンラインモードに切替え、切替え直後の検出値を上記した設定オンラインキャリブレーション値として設定し、オンラインキャリブレーションを実行するモードである。
【００４１】
上述したように本実施形態によれば、キャリブレーション専用信号源および復調器を用いることなく、送信信号のみにより、アレーアンテナへ伝送される送信信号の伝送特性を調整するものであり、このことによりコスト削減、ならびに調整が伝送品質に影響を与えないといった利点を持つ。また、初期調整は勿論のこと、運用中にも調整が可能となるため、メンテナンスに柔軟性を持たせることができる。
【００４２】
さらに、図１に示されるようにＳＷ１、レベル・位相検出器１４、レベル・位相制御器１５およびＮ個のアンテナ素子ごとの乗算器１６からなる調整部は、ＯＦＤＭ方式のＬ個のサブキャリアの各々に対応してＬ個の組が設けられる。これにより、サブキャリアごとのレベルおよび位相の調整を行うことができる。
【００４３】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００４４】
【図１】本発明の一実施形態に係るアレーアンテナ用ＲＦ回路伝送特性調整装置１を備えた無線装置１００の構成を示すブロック図である。
【図２】ＯＦＤＭ方式を用いた無線通信システムの概略構成を示すブロック図である。
【図３】本発明の一実施形態に係るオフラインモードでの調整の際の信号伝播経路を説明するために引用した図である。
【図４】本発明の一実施形態に係るオンラインモードでの調整の際の信号伝播経路を説明するために引用した図である。
【符号の説明】
【００４５】
１…アレーアンテナ用ＲＦ回路伝送特性調整装置、１１，４２…逆離散フーリエ変換器（ＩＤＦＴ）、１２，１３…離散フーリエ変換器（ＤＦＴ）、１４…レベル・位相検出器、１５…レベル・位相制御器、１６，４５…乗算器、１７…制御部、２０…アレーアンテナユニット、２１…アンテナ素子、２２，３１…方向性結合器（カプラ）、２３…合成器、３０…副ユニット、４０…主ユニット、４１…シリアル−パラレル変換器、４３…分配器、４４…ビーム制御器、５１，５４…フィーダケーブル、５２…アンプ、５３…遅延ユニット、１００…無線装置、ＳＷ１，ＳＷ２，ＳＷ３…スイッチ
【図１】
2006287501.tif 000003
【図２】
2006287501.tif 000004
【図３】
2006287501.tif 000005
【図４】
2006287501.tif 000006